(57)【要約】【課題】外壁パネルへの取り付けおよび外壁パネルからの取り外しを容易に行うことができ、外壁パネルのクレーンでの施工時の安全性を向上させることができ、さらに、施工後の外壁パネルの屋内側にスペースを確保することができない場合にもクレーンでの施工を容易に行うことができる外壁パネル用吊具の提供。【解決手段】外壁パネル用吊具１は、外壁パネルの溝の上側のリップ部に下から引っ掛けられる係合部５を有する板状の吊具本体６と、第一片１５、第二片１６および第三片１７を有する押え体７と、吊具本体６と押え体７とを接続する接続体８とを備える。接続体８は、ボルト２２およびナット２３を備えて構成される。外壁パネルの押え体７は、吊具本体６および第一片１５の長穴である貫通穴１８を貫通して配置されたボルト２２にナット２３をねじ込むことで、吊具本体６に押え体７が取り付けられる。【選択図】図１
2018071077.tif 000002
【特許請求の範囲】
【請求項１】
後面にリップ付き溝型鋼からなる溝が左右方向へ沿って設けられる外壁パネルの吊具であって、
前記溝の上側のリップ部に下から引っ掛けられる係合部を有する板状の吊具本体と、
前記吊具本体の前面に設けられて前記外壁パネルを押さえる押え体とを備え、
前記押え体は、前記吊具本体の前面に対面して配置される板状の第一片と、前記第一片の下端部から前方へ延出する板状で前記外壁パネルの上面に当接する第二片と、前記第二片の前端部から下方へ延出する板状で前記外壁パネルの前面に当接する第三片とを有し、
前記第二片が前記外壁パネルの上面に当接すると共に前記第三片が前記外壁パネルの前面に当接して前記外壁パネルを押さえた状態から、上下方向および前後方向へ移動可能に設けられる
ことを特徴とする外壁パネル用吊具。
【請求項２】
前記第三片は、前記押え体が最も上方へ移動した状態で前記外壁パネルの前面に当接する長さを有している
ことを特徴とする請求項１に記載の外壁パネル用吊具。
【請求項３】
前記吊具本体は、前記押え体が取付可能な上下に複数の取付位置を有し、
前記複数の取付位置の内、いずれかの取付位置に前記押え体が設けられる
ことを特徴とする請求項１または請求項２に記載の外壁パネル用吊具。
【発明の詳細な説明】
【技術分野】
【０００１】
本発明は、住宅などの建物の外壁パネルを吊り上げる際に用いられる外壁パネル用吊具に関するものであり、特に、外壁パネルの内、アーチの円弧部分やバルコニーなどに施工される垂れ壁パネルを吊り上げる際に用いられる外壁パネル用吊具に関するものである。
【背景技術】
【０００２】
従来、垂れ壁パネルなどの一部の外壁は、納まりや作業効率の観点から、人力により設置箇所まで持ち上げられて、建物の構造躯体に取り付けられる。垂れ壁パネルをクレーンにて施工する場合には、垂れ壁パネルにスリングをくくり付けて、設置箇所まで吊り上げている。
【０００３】
また、下記特許文献１には、端部に一方の面側から厚み方向に形成された挿入孔を有するパネルを吊り下げるためのパネル用吊り具であって、吊り下げられる吊り具本体と、この吊り具本体に設けられて挿入孔に一方の面側から挿入される吊りピンと、吊り具本体に設けられて、挿入孔が形成されているパネルの一方の面と反対側の面に当接してパネルを押さえる押さえ部とを備えるパネル用吊り具が開示されている。このパネル用吊り具の押さえ部は、反対側の面に対しほぼ平行に移動することで、その反対側の面から退避可能に設けられている。
【先行技術文献】
【特許文献】
【０００４】
【特許文献１】特開２００１−３５７３号公報
【発明の概要】
【発明が解決しようとする課題】
【０００５】
しかしながら、人力により垂れ壁パネルを持ち上げて施工する場合、足場板上で重量のある垂れ壁パネルの取付作業を行うことになり、作業の安全性の面で問題がある。人力による場合、安全性を最優先にするため、重量の大きな垂れ壁パネルは、一階部分にのみ設置可能とされている。垂れ壁パネルをクレーンで施工する場合、スリングを垂れ壁パネルから取り外すことになるが、このスリングの取り外しは困難であり、その取外し作業時に危険が生じることになる。
【０００６】
また、上記特許文献１に開示されるパネル用吊り具は、吊り具本体の厚みが大きく形成されている上、その吊り具本体から吊りピンが突出した構成であるので、パネルからパネル用吊り具を取り外す際に、屋内側にスペースを確保する必要がある。従って、構造躯体に接触または近接してパネルを取り付ける場合には、パネルの屋内側に十分なスペースを確保することができず、パネル用吊り具を使用することができない。
【０００７】
本発明は、このような問題に鑑みてなされたものであり、その主たる目的は、外壁パネルへの取り付けおよび外壁パネルからの取り外しを容易に行うことができ、外壁パネルのクレーンでの施工時の安全性を向上させることができ、さらに、施工後の外壁パネルの屋内側にスペースを確保することができない場合にもクレーンでの施工を容易に行うことができる外壁パネル用吊具を提供することにある。
【課題を解決するための手段】
【０００８】
上記目的を達成するための本発明に係る外壁パネル用吊具は、後面にリップ付き溝型鋼からなる溝が左右方向へ沿って設けられる外壁パネルの吊具であって、前記溝の上側のリップ部に下から引っ掛けられる係合部を有する板状の吊具本体と、前記吊具本体の前面に設けられて前記外壁パネルを押さえる押え体とを備え、前記押え体は、前記吊具本体の前面に対面して配置される板状の第一片と、前記第一片の下端部から前方へ延出する板状で前記外壁パネルの上面に当接する第二片と、前記第二片の前端部から下方へ延出する板状で前記外壁パネルの前面に当接する第三片とを有し、前記第二片が前記外壁パネルの上面に当接すると共に前記第三片が前記外壁パネルの前面に当接して前記外壁パネルを押さえた状態から、上下方向および前後方向へ移動可能に設けられることを特徴とする。
【０００９】
また、本発明に係る外壁パネル用吊具は、前記第三片は、前記押え体が最も上方へ移動した状態で前記外壁パネルの前面に当接する長さを有していることを特徴とする。
【００１０】
さらに、本発明に係る外壁パネル用吊具は、前記吊具本体は、前記押え体が取付可能な上下に複数の取付位置を有し、前記複数の取付位置の内、いずれかの取付位置に前記押え体が設けられることを特徴とする。
【発明の効果】
【００１１】
本発明に係る外壁パネル用吊具によれば、外壁パネルの溝の上側のリップ部に下から係合部を引っ掛ける構成であると共に、第一片、第二片および第三片からなる押え体にて外壁パネルを押さえる構成である。従って、本発明に係る外壁パネル用吊具は、外壁パネルへの取り付けおよび外壁パネルからの取り外しを容易に行うことができる。本発明に係る外壁パネル用吊具は、前述したように外壁パネルから容易に取り外すことができるので、スリングをくくり付ける場合と比較して、クレーンでの施工時の安全性を向上させることができる。本発明に係る外壁パネル用吊具は、外壁パネル施工時に後方である屋内側に配置される吊具本体が板状に形成されると共に、外壁パネルの溝の上側のリップ部に下から引っ掛けられるよう係合部が形成される。従って、本発明に係る外壁パネル用吊具は、施工された外壁パネルの屋内側にスペースが確保できない場合にも用いることができる。
【００１２】
また、本発明に係る外壁パネル用吊具によれば、外壁パネルから取り外すために押え体を最も上方へ移動させた際においても、押え体の第三片が外壁パネルの前面に当接しているので、施工時に外壁パネル用吊具から外壁パネルが不意に落下するのを防止することができる。
【００１３】
さらに、本発明に係る外壁パネル用吊具によれば、吊具本体が押え体の取付位置を上下に複数有しているので、係合部と押え体との間の距離を調整することができる。従って、外壁パネルの上面と溝との間の距離が異なる複数種の外壁パネルに使用することができる。
【図面の簡単な説明】
【００１４】
【図１】本発明の外壁パネル用吊具の一実施例を示す斜視図である。
【図２】図１の外壁パネル用吊具の分解斜視図である。
【図３】図１の外壁パネル用吊具の使用状態を示す斜視図である。
【図４】図１の外壁パネル用吊具の使用状態を示す左側面図であり、係合部をリップ部に引っ掛ける状態を示している。
【図５】図１の外壁パネル用吊具の使用状態を示す左側面図であり、押え体を下方へスライドさせる状態を示している。
【図６】図１の外壁パネル用吊具の使用状態を示す左側面図であり、ボルトにナットをねじ込んで、押え体で外壁パネルを押さえた状態を示している。
【図７】図１の外壁パネル用吊具の使用状態を示す左側面図であり、外壁パネルが構造躯体に取り付けられた状態を示している。
【図８】図１の外壁パネル用吊具の使用状態を示す左側面図であり、ナットを緩めた状態を示している。
【図９】図１の外壁パネル用吊具の使用状態を示す左側面図であり、外壁パネルから押え体を離した状態を示している。
【図１０】図１の外壁パネル用吊具の使用状態を示す左側面図であり、溝のリップ部への吊具本体の係合部の係合を解除し、外壁パネルから外壁パネル用吊具を取り外した状態を示している。
【発明を実施するための形態】
【００１５】
以下、本発明の外壁パネル用吊具の具体的実施例を図面に基づいて詳細に説明する。
【００１６】
図１から図３は、本発明の外壁パネル用吊具の一実施例を示す図であり、図１は斜視図、図２は分解斜視図、図３は使用状態を示す斜視図である。本実施例の外壁パネル用吊具１は、後面にリップ付き溝型鋼からなる溝２が左右方向へ沿って設けられる外壁パネル３の吊具であって、溝２の上側のリップ部４に下から引っ掛けられる係合部５を有する板状の吊具本体６と、吊具本体６の前面に設けられて外壁パネル３を押さえる押え体７と、吊具本体６と押え体７とを接続する接続体８とを備える。
【００１７】
本実施例の外壁パネル用吊具１が用いられる外壁パネル３は、たとえば、建物に形成されるアーチの円弧状部分に施工されるパネルである。図示例では、アーチの円弧状部分の左側に施工されるパネルである。この外壁パネル３は、略四角形の板状とされ、下面が左端部を残して円弧状に上方へ凹んで形成されている。外壁パネル３の後面には、上下に離隔して複数（図示例では三つ）の溝２が左右方向へ沿って形成されている。各溝２は、外壁パネル３の後面に形成された凹部に、リップ付き溝型鋼が固定されて形成されている。このような外壁パネル３である垂れ壁パネルに、本実施例の外壁パネル用吊具１が適用される。
【００１８】
外壁パネル用吊具１の吊具本体６は、上下方向を長手方向とする略長方形の金属製の薄板状とされ、上端部が円弧状に上方へ膨出して形成されている。吊具本体６の下端部には、左右に離隔して係合部５が形成されている。各係合部５は、吊具本体６の一部を切り起こすことで形成され、上方へ行くに従って前方へ傾斜した後に上方へ垂直に延出して形成されている。
【００１９】
吊具本体６は、押え体７が取付可能な複数（図示例では二つ）の取付位置を有している。複数の取付位置は、上下に互いに離隔している。本実施例では、吊具本体６に前後方向へ貫通して円形状の貫通穴９，１０が形成されており、その貫通穴９，１０が押え体７の取付位置と対応する箇所に形成されている。二つの貫通穴９，１０は、吊具本体６の左右方向略中央部に上下に離隔して形成されており、下側の貫通穴１０が吊具本体６の上下方向略中央部に形成されている。
【００２０】
なお、吊具本体６には、左右の係合部５，５間、および上下方向略中央部よりも若干下方の左右両端部に、後方へ膨出して膨出部１１が形成されている。各膨出部１１は、上下に細長い形状とされている。また、吊具本体６の上端部には、外壁パネル３をクレーンで施工する際に用いられるベルト１２と吊具本体６とを接続する接続部材１３のための貫通穴１４が前後方向へ貫通して形成されている。
【００２１】
押え体７は、金属製とされ、吊具本体６の前面に対面して配置される矩形板状の第一片１５と、第一片１５の下端部から前方へ延出する矩形板状で外壁パネル３の上面に当接する第二片１６と、第二片１６の前端部から下方へ延出する矩形板状で外壁パネル３の前面に当接する第三片１７とを有している。本実施例の押え体７は、板材が側面視略Ｌ字形状に折り曲げられた後さらに側面視略Ｌ字形状に折り曲げられて形成されている。押え体７の第一片１５には、前後方向へ貫通して貫通穴１８が形成されている。この貫通穴１８は、上下に細長い長穴とされており、第一片１５の左右方向略中央部に形成されている。なお、押え体７の第二片１６および第三片１７からなるＬ字形状部分の内面には、略Ｌ字形状のゴム製の板材１９が設けられる。具体的には、板材１９の一片２０が第二片１６の下面に固定されると共に、板材１９の他片２１が第三片１７の後面に固定される。
【００２２】
接続体８は、吊具本体６に押え体７を接続するものであり、本実施例では、ボルト２２およびナット２３を備えて構成される。ボルト２２は、吊具本体６の後面側から、吊具本体６に上下に離隔して形成された貫通穴９，１０の内の上側の貫通穴９および第一片１５に形成された貫通穴１８を順に貫通して配置される。そして、その状態において、ボルト２２にナット２３がねじ込まれることで、吊具本体６に押え体７が取り付けられる。
【００２３】
従って、ナット２３を緩めた状態では、押え体７は、長穴である貫通穴１８の上下の範囲内で上下方向へ移動可能に吊具本体６に設けられると共に、ボルト２２に沿って前後方向へ移動可能に吊具本体６に設けられる。なお、押え体７の第三片１７は、長穴の下端部にボルト２２が接触した状態、すなわち、押え体７が最も上方へ移動した状態で外壁パネル３の前面に当接する長さを有している。
【００２４】
ここでは、ボルト２２は、吊具本体６に上下に離隔して形成された貫通穴９，１０の内の上側の貫通穴９を貫通して配置されたが、下側の貫通穴１０を貫通して配置してもよい。この場合、ボルト２２は、吊具本体６の後面側から、吊具本体６に形成された下側の貫通穴１０および第一片１５に形成された貫通穴１８を順に貫通して配置される。そして、その貫通状態において、ボルト２２にナット２３がねじ込まれることで、吊具本体６に押え体７が取り付けられる。すなわち、押え体７は、前述した複数の取付位置の内、いずれかの取付位置に設けることができる。
【００２５】
図３に示されるように、本実施例の外壁パネル用吊具１は、外壁パネル３の上端部に左右に離隔して設けられる。各外壁パネル用吊具１には、前述した接続部材１３が設けられる。接続部材１３は、略コ字形状のアーム２４と、アーム２４の開放両端部間を架け渡すように設けられる棒材２５とを備えており、棒材２５が吊具本体６の上端部に形成された貫通穴１４を貫通して配置されることで、外壁パネル用吊具１に取り付けられる。左側の接続部材１３のアーム２４には、ベルト１２の一端部が固定され、右側の接続部材１３のアーム２４には、ベルト１２の他端部が固定される。図示しないが、ベルト１２は、クレーンに接続される。
【００２６】
次に、本実施例の外壁パネル用吊具１の使用について具体的に説明する。図４から図６は、外壁パネルに本実施例の外壁パネル用吊具を取り付ける状態を時系列に示す左側面図であり、一部を断面にして示している。また、図７から図１０は、施工された外壁パネルから本実施例の外壁パネル用吊具を取り外す状態を時系列に示す左側面図であり、一部を断面にして示している。
【００２７】
図４に示されるように、外壁パネル３に外壁パネル用吊具１を取り付ける際には、まず、ナット２３を緩めて、押え体７を上方へ移動させると共に、押え体７をその第二片１６が上方へ傾斜するよう前方へ移動させる。このような押え体７の移動は、第一片１５の貫通穴１８が長穴に形成されていることにより可能とされる。
【００２８】
その状態で、外壁パネル３の最も上部に形成された溝２の上側のリップ部４に、吊具本体６に形成された係合部５が下から引っ掛けられる。この際、吊具本体６の前面が外壁パネル３の後面に当接される。そして、図５に示されるように、押え体７を下方へ移動させ、第二片１６が板材１９を介して外壁パネル３の上面に当接されると共に、第三片１７が板材１９を介して外壁パネル３の前面に当接される。この状態で、図６に示されるように、ボルト２２にナット２３をねじ込むことで、押え体７により外壁パネル３が押えられる。
【００２９】
このようにして、外壁パネル３に外壁パネル用吊具１が取り付けられる。前述したように、外壁パネル３は、外壁パネル用吊具１およびベルト１２などを介して、クレーンに取り付けられる。従って、クレーンを操作することで、外壁パネル３を取付位置まで吊り上げることができる。そして、図７に示されるように、外壁パネル３は、取付金具などを介して、構造躯体を構成する軸組２６に固定される。軸組２６は、断面が略Ｃ字形状のリップ付き溝型鋼２７を矩形枠状に組み付けて構成される。外壁パネル３が軸組２６に固定された状態では、上枠を構成するリップ付き溝型鋼２７と外壁パネル３との間には、若干隙間が形成される。
【００３０】
外壁パネル３から外壁パネル用吊具１を取り外す際には、まず、図８に示されるように、ナット２３が緩められる。そして、図９に示されるように、押え体７を上方へ移動させると共に、押え体７をその第二片１６が上方へ傾斜するよう前方へ移動させて、外壁パネル３から押え体７が離される。その状態で、外壁パネル用吊具１を下方へ移動させつつ後方へ移動させて、リップ部４への係合部５の係合が解除される。これにより、図１０に示されるように、外壁パネル３から外壁パネル用吊具１を取り外すことができる。
【００３１】
本実施例の外壁パネル用吊具１の場合、吊具本体６に形成された係合部５は、溝２の上側のリップ部４に下から引っ掛けることができる。また、押え体７は、第一片１５、第二片１６および第三片１７を有し、ボルト２２およびナット２３からなる接続体８にて吊具本体６に取り付けられる。すなわち、押え体７は、第二片１６が外壁パネル３の上面に当接すると共に第三片１７が外壁パネル３の前面に当接して外壁パネル３を押さえた状態から、上下方向および前後方向へ移動可能に吊具本体６に設けられる。このような構成であるので、本実施例の外壁パネル用吊具１によれば、外壁パネル３への取り付けおよび外壁パネル３からの取り外しを容易に行うことができる。
【００３２】
また、本実施例の外壁パネル用吊具１の場合、それを介してベルトが外壁パネル３に接続される。従って、本実施例の外壁パネル用吊具１によれば、スリングを外壁パネル３にくくり付ける場合と比較して、外壁パネル３から容易に取り外すことができる。従って、外壁パネル３のクレーンでの施工時の安全性を向上させることができる。
【００３３】
また、本実施例の外壁パネル用吊具１の場合、外壁パネル用吊具１を下方へ移動させつつ後方へ移動させることで、リップ部４への係合部５の係合を解除することができる。すなわち、外壁パネル用吊具１の後方への移動を少なくすることができる構成である。これに加えて、外壁パネル用吊具１の吊具本体６は、板状に形成されている。従って、上枠を構成するリップ付き溝型鋼２７と外壁パネル３との隙間が小さい場合においても、外壁パネル３から外壁パネル用吊具１を容易に取り外すことができる。
【００３４】
また、本実施例の外壁パネル用吊具１の場合、外壁パネル３から外壁パネル用吊具１を取り外す際に押え体７を最も上方へスライドさせても、第三片１７が外壁パネル３の前面に当接している。従って、外壁パネル３の施工時に不意に外壁パネル３が落下するのを防止することができる。
【００３５】
また、本実施例の外壁パネル用吊具１の場合、吊具本体６に対する押え体７の取付位置を上下方向に変更して、係合部５と押え体７との間の距離を調整することができる。従って、外壁パネル３の上面と係合部５が係合される溝２との間の距離が異なる複数の外壁パネル３に対応することができる。
【００３６】
また、本実施例の外壁パネル用吊具１の場合、クレーンを用いて外壁パネル３を吊り上げることができるので、２階以上に設置される外壁パネル３に適用することができる。従って、建物の２階以上まで開口したアーチを形成することができ、建物のデザイン性を向上させることができる。さらに、本実施例の外壁パネル用吊具１の場合、吊具本体６に膨出部１１が形成されているので、吊具本体６の強度を高めることができ、これにより、吊具本体６を薄板状に形成することができる。
【００３７】
本発明の外壁パネル用吊具は、前記実施例の構成に限らず、適宜変更可能である。たとえば、前記実施例では、外壁パネル用吊具１は、アーチを構成する垂れ壁パネルである外壁パネル３に適用されたが、これに限定されるものではなく、たとえば、軒先の垂れ壁パネルである外壁パネル３に適用してもよい。この場合、接続体８のボルト２２は、上下に離隔して配置された貫通穴９，１０の内、下側の貫通穴１０に貫通して配置される。
【産業上の利用可能性】
【００３８】
本発明の外壁パネル用吊具は、後面にリップ付き溝型鋼からなる溝が左右方向へ沿って設けられる外壁パネルをクレーンで吊り上げる際に好適に用いられる。
【符号の説明】
【００３９】
１  外壁パネル用吊具
２  溝
３  外壁パネル
４  リップ部
５  係合部
６  吊具本体
７  押え体
８  接続体
９  貫通穴
１０  貫通穴
１５  第一片
１６  第二片
１７  第三片
１８  貫通穴
２２  ボルト
２３  ナット
【図１】
2018071077.tif 000003
【図２】
2018071077.tif 000004
【図３】
2018071077.tif 000005
【図４】
2018071077.tif 000006
【図５】
2018071077.tif 000007
【図６】
2018071077.tif 000008
【図７】
2018071077.tif 000009
【図８】
2018071077.tif 000010
【図９】
2018071077.tif 000011
【図１０】
2018071077.tif 000012